(57)【特許請求の範囲】
【請求項１】
外郭をなすケースと、該ケース内部に回転自在に設けられる回転ブラシと、該回転ブラシに付着した塵埃を除去する塵埃除去具と、該ケースに設けられる前記回転ブラシを回転駆動する駆動部を有し、
前記ケースには、前記回転ブラシをケース内部に対して、取付け又は取外しするための開口と、前記塵埃除去具を回転可能に保持する塵埃除去具取付け部が形成され、
前記回転ブラシには長手方向に延びる複数の溝が形成され、隣り合う前記溝の間にはブラシが設けられており、
前記塵埃除去具は、リング部と、該リング部の一端側から突出する爪部と、前記リング部の他端側に形成され前記塵埃除去具取付け部に回転自在に係合された係合部と、前記爪部と前記係合部との間において該リング部を囲むように形成された被清掃面に接触可能な車輪部を有し、
前記回転ブラシは、前記開口に端から挿入されることで前記ケース内部に取付けられ、また前記開口から長手方向に引き抜かれることにより前記ケースの内部から取外され、
前記回転ブラシが前記ケースに取付けられた状態において、前記塵埃除去具は、前記溝に前記爪部が嵌り込み、該回転ブラシが前記リング部の開口を貫いた状態であることを特徴とする床面吸込具。
【請求項２】
前記車輪部の最外部は、フェルト材を設けることにより構成されていることを特徴とする請求項１に記載の床面吸込具。
【請求項３】
前記車輪部の最外部は、二重成形により軟質部材による部位を形成したことを特徴とする請求項１に記載の床面吸込具。
【請求項４】
前記車輪部の最外径の大きさは、前記ブラシを含んだ前記回転ブラシの最外径の大きさと等しくしたことを特徴とする請求項１から請求項３の何れか１項に記載の床面吸込具。
【請求項５】
請求項１から請求項４の何れか１項に記載の床面吸込具を用いたことを特徴とする電気掃除機。
【発明の詳細な説明】
【技術分野】
【０００１】
本発明は、被清掃面から塵埃をかき出す回転ブラシを有する床面吸込具、及び、この床面吸込具を用いた電気掃除機。
【背景技術】
【０００２】
従来から、被清掃面に接触して塵埃をかき出す回転ブラシを有する電気掃除機に用いる床面吸込具において、床面吸込具の外郭を構成するケースの側面に、回転ブラシをケース内部に着脱する為の開口を形成し、この開口に除塵体を設けたのもがある。
このような床面吸込具は、ケースから回転ブラシを外す際に、回転ブラシに付着した塵埃を除塵体が剥ぎ取るので、回転ブラシから塵埃を除去することができる（例えば、特許文献１）。
【先行技術文献】
【特許文献】
【０００３】
【特許文献１】特開昭６２−２１７９３０号公報
【発明の概要】
【発明が解決しようとする課題】
【０００４】
しかしながら、特許文献１に記載の床面吸込具は、ケース側面に形成された開口に設けられた除塵体の内側を、回転ブラシが通る構成となっているので、回転ブラシが被清掃面から離れてしまい、被清掃面の塵埃を掻き出すために、回転ブラシの外周面に設けるブラシの丈を長くしなくてはならない。
このように、ブラシの丈が長くなることで、被清掃面とブラシが接する際、ブラシのコシが弱くなり、床面に接するブラシの回転により生じる床面吸込具を前方へと進める力（操作力）が小さくなり、床面吸込具を、被清掃面上を動かす際の操作感が重くなってしまう。
また、塵埃除去具を通してケースから回転ブラシを着脱するので、ブラシの長さや本数を増やすと回転ブラシの引抜力が重くなってしまうという課題があった。
【０００５】
そこで本発明は、上記の課題を解決するものであり、回転ブラシに付着した塵埃を除去可能とすると共に、操作力が軽い床面吸込具を提供することを目的とする。
【課題を解決するための手段】
【０００６】
課題を解決する為には、床面吸込具において、外郭をなすケースと、該ケース内部に回転自在に設けられる回転ブラシと、該回転ブラシに付着した塵埃を除去する塵埃除去具と、該ケースに設けられる回転ブラシを回転駆動する駆動部を有し、ケースには、回転ブラシをケース内部に対して、取付け又は取外しするための開口と、塵埃除去具を回転可能に保持する塵埃除去具取付け部が形成され、回転ブラシには長手方向に延びる複数の溝が形成され、隣り合う溝の間にはブラシが設けられており、塵埃除去具は、リング部と、該リング部の一端側から突出する爪部と、リング部の他端側に形成され塵埃除去具取付け部に回転自在に係合された係合部と、爪部と係合部との間において該リング部を囲むように形成された被清掃面に接触可能な車輪部を有し、回転ブラシは、開口に端から挿入されることでケース内部に取付けられ、また開口から長手方向に引き抜かれることによりケースの内部から取外され、回転ブラシがケースに取付けられた状態において、塵埃除去具は、溝に爪部が嵌り込み、該回転ブラシがリング部の開口を貫いた状態となるように構成する。
【発明の効果】
【０００７】
本発明によれば、回転ブラシに付着した塵埃を容易に除去可能にすると共に、回転ブラシの回転と同時に塵埃除去具に設けた車輪部が回転し床面を掻く力が増加するので、床面吸込具の操作力が軽くなり、使用者の清掃負荷を軽減させることが可能となる。
【図面の簡単な説明】
【０００８】
【図１】本発明に係る床面吸込具を用いた電気掃除機の全体外観図
【図２】床面吸込具Ｓを前方から見た斜視図
【図３】図２の分解斜視図
【図４】床面吸込具Ｓを下方から見た斜視図
【図５】図４において、回転ブラシの着脱過程を示す斜視図
【図６】ケース４０の下面に平行で、回転ブラシ中心を通る位置で切断した断面図
【図７】回転ブラシ６０と塵埃除去具４３の組合せ状態を示す斜視図
【図８】図２のＸ−Ｘ断面図（床用吸込具前方を正面から見た断面図（回転ブラシが装着された状態））
【図９】図８の塵埃除去部周囲の拡大図
【図１０】塵埃除去具平面図
【図１１】塵埃除去具側面断面図
【発明を実施するための形態】
【０００９】
図面を参照して、実施の形態について説明する。
図１は、本実施の形態に係る電気掃除機Ｃの全体外観図である。
電気掃除機Ｃは、掃除機本体１０と、この掃除機本体１０に接続されるホース２０と、このホース２０の先端部に設けられた掃除機の運転モードなどを操作する把持部２１と、この把持部２１に設けられた手元操作部２１ａと、把持部２１を形成するパイプに接続される伸縮自在に構成された延長管３０と、この延長管３０に接続される被清掃面Ｇから塵埃を吸込む床面吸込具Ｓを有する。
【００１０】
このように構成された電気掃除機Ｃは、掃除機本体１０に搭載された電動送風機（図示せず）により発生させられる吸引力により、床面吸込具Ｓに開口する吸込口から被清掃面Ｇの塵埃を吸込み、延長管３０とホース２０を通して掃除機本体１０に設けられた集塵部（図示せず）に搬送するように構成されている。
【００１１】
次に、主に図２〜図７を参照して、床面吸込具Ｓについて説明する。
床面吸込具Ｓは、外郭をなすケース４０と、このケース４０の後部中央に回転動作自在に設けられる延長管３０が接続されるパイプ状の接続部５０と、ケース４０の内部に設けられ被清掃面Ｇに付着した塵埃を掻き出し集塵性能を向上させる回転ブラシ６０と、この回転ブラシ６０の回転駆動力を得るための動力装置（駆動部）であるモーター部７０から構成されている。
尚、動力装置について吸引力により生じる気流を活用するタービン用いて回転ブラシを回転駆動するものもあるが、本実施の形態においては、電動機を用いたもので説明する。
【００１２】
以下、床面吸込具Ｓの各部について詳述する。
まず、回転ブラシ６０は、回転ブラシ６０の回転軸となる棒状の軸６０ｇが内部に挿入されている本体軸６０ａの外周に、らせん状の複数の溝６０ｂが形成されていると共に、隣り合う溝の間にらせん状にブラシ６０ｃが回転ブラシの外方向に向かって設けられている。
図において、ブラシ６０ｃは柔軟性のある樹脂などで構成された短冊状のものを用いているが、回転ブラシの外方向に向かって伸びる毛状ものでもよい。
【００１３】
そして、本体軸６０ａの一方の端には、後述するモーター部７０からの駆動力を、回転ブラシ６０に伝達する駆動側装着ガイド７３が嵌り込み係合する凹部６０ｄが形成されている。この凹部６０ｄの内部には、軸６０ｇと平行な向きとなる溝６０ｊが形成されている。
この溝６０ｊ（図示せず）は、後述する駆動側装着ガイド７３に形成された係合部７３ａが、軸６０ｇの軸方向から凹部６０ｄの内方に入り込むことにより係合し、駆動側装着ガイド７３の回転に対して凹部６０ｄの空回りを防止する為の回り止め構造である。
【００１４】
回転ブラシ６０の他端には、回転ブラシをケース４０に内部に配置した状態で、ケース４０から外れないように固定する固定つまみ６０ｈが軸６０ｇ（本体軸６０ａ）に対して回転自在に取り付けられている。この固定つまみ６０ｈには、軸６０ｇの回転方向に対して、外方向に突出する凸形状の固定側装着ガイド６０ｉが設けられている。
【００１５】
次に、ケース４０は、床面吸込具Ｓの外郭下側を成す略箱形状の下ケース４１と、外郭上側を成す略箱形状の上ケース４２と、上ケース４２と一体となる上カバー４３から成り、下ケース４１と上ケース４２が上下に合わさることにより構成されている。
また、下ケース４１の下面の左端及び右端には、それぞれ下ケースカバー４８を具備している。
【００１６】
ケース４０の底となる下ケース４１には、被清掃面Ｇから塵埃を吸込むための長手方向に開口する吸込口４１ａが形成されている。
この吸込口４１ａと下ケース４１との間には、所定の空間を確保することにより、回転ブラシ６０が収納される回転ブラシ収納室４０ａが形成されている。つまり、回転ブラシ収納室４０ａに吸込口４１ａが開口する構造となっている。
【００１７】
尚、回転ブラシ収納室４０ａの後方、つまり、吸引された気流の下流方向には、接続部５０へと連通する集塵風路４５が上ケース４２と下ケース４１により形成されている。この集塵風路４５は、吸込口４１ａから吸い込まれた塵埃の混ざった気流を接続部５０方向へ、つまり、ケース４０から延長管３０へ向けて、流下させる風路である。
【００１８】
次に、ケース４０の後部中央には、接続部５０が回転動作自在に取り付けられる開口である接続部取付け口４０ｄが形成されている。
この接続部取付け口４０ｄは、下ケース４１と上ケース４２の後部中央に、それぞれ切り欠き部を形成し、下ケース４１と上ケース４２が上下に合わさる際に、これらの切り欠き部が合わさることで開口が形成される。
【００１９】
次に、ケース４０の一方の側壁の内側には駆動部装着開口４０ｂが形成され、後述する駆動側装着ガイド７３とモーター部７０が設けられている。この駆動側装着ガイド７３の係合部７３ａは、ケース４０の内方に向けてケース４０に設けられる。
また、ケース４０の他方の側壁には、ケース４０の内部に対して後述する回転ブラシ６０を着脱する為の回転ブラシ装着開口４０ｃが形成されている。
この回転ブラシ装着開口４０ｃは、回転ブラシ６０を回転ブラシ収納室４０ａに挿入可能な開口であり、回転ブラシ６０の固定用つまみ６０に形成された凸形状の固定側装着ガイド６０ｉが入り込む位置に、凹形状が形成された略円形状の形状である。
【００２０】
つまり、固定側装着ガイド６０ｉが、回転ブラシ装着開口４０ｃの凹形状に入り込み、固定用つまみ６０ｈを回転させることで、固定側装着ガイド６０ｉと回転ブラシ装着開口４０ｃの凹形状の部分が、回転ブラシ６０の装着方向からずれ、回転ブラシ６０がケース４０に固定される構造となっている。
【００２１】
尚、固定用つまみ６０ｈは、本体軸６０ａに対して回転自在であることから、本体軸６０ａはケース４０に対して、回転自在に取り付けられる。
また、回転ブラシ装着開口４０ｃは、下ケース４１と下ケースカバー４８の側壁に、それぞれ半円形状及び凹形状が組み合わされた形状の切り欠き部を形成し、下ケース４１と下ケースカバー４８が上下に合わさる際に、これらの切り欠き部が合わさることで形成される開口である。
【００２２】
次に、駆動側装着ガイド７３は、被清掃面Ｇと接することで床面吸込具Ｓの操作感を向上させる車輪部７３ｂ、モーター部７０の回転駆動力を伝達するプーリー部７３ｃ、車輪部７３ｂの回転中心となる部位から回転軸方向へ向けて一体に突出する係合部７３ａが、各回転中心が同軸となるように一体に形成されている。
係合部７３ａには、回転ブラシ６０の凹部６０ｄに入り込むことにより係合した際に、回転方向のずれを無くす為に、回転中心から径方向に突出する部位が形成されている。
車輪部７３ｂの外周部分は、被清掃面上を走行する際に、車輪部７３ｂが被清掃面上に適切な摩擦力でグリップするように、軟質材やフェルト材により構成されている。
【００２３】
また、車輪部７３ｂの最大外径（フェルト材４６ｆや軟質材を含む）は、回転ブラシ６０の最大外径（ブラシ６０ｃを含む）と同じ程度の大きさに構成すると良く、後述する車輪部４６ｆと外形状が等しくなるように構成されている。
また、プーリー部７３ｃには、ケース４０の内部に設けられるモーター部７０の回転駆動力を伝達するベルト７０ａが掛けられる。
【００２４】
次に、図６〜図１１を参照すると、吸込口４１ａの内部であって、回転ブラシ装着開口４０ｃ側の回転ブラシ収納室４０ａの端側の位置には、回転ブラシ６０に付着した毛髪等を除去するリング形状である塵埃除去具４６を、このリング形状の周方向に回転可能に収納する部位である後述する塵埃除去具取付け部４４が形成されている。
この塵埃除去具４６は、外形が円形状であるリング部４６ａと、このリング部４６ａが開口する方向に突出する爪部４６ｂと、リング部４６ａのリング外周を囲むように形成された車輪部４６ｄを有する。
【００２５】
車輪部４６ｄは、塵埃除去具４６がケース４０に取り付けられた状態で、被清掃面に接するように構成されている。また、リング部４６ａのリング開口４６ｅは、回転ブラシ６０が貫通可能な大きさである。
更に、リング部４６ａには、外周面に突出する凸部４６ｇが形成されている。この凸部４６ｇは、リング部４６ａの外周面を一周に亘って形成されている。
【００２６】
ここでは、車輪部４６ｄと、リング部４６ａ及び爪部４６ｂを別の部材で構成し、車輪部４６ｄを、リング部４６ａと爪部４６ｂで挟んで超音波固定している。
つまり、塵埃除去具４６において、回転ブラシ６０がケース４０から着脱される際に、この回転ブラシ６０と接触する部位であるリング部４６ａと爪部４６ｂには、摺動性のよい材料（例えば、ＰＯＭ）を用いることで、塵埃除去具４６の着脱を容易にしている。
【００２７】
また、車輪部４６ｄに、接着材を用いることが可能な材料（例えば、ＡＢＳ樹脂など）を使用することで、車輪部４６ｄの外周部にフェルト材４６ｆを接着して構成とすることができる。
これにより、被清掃面上を車輪部４６ｄが走行する際に、フェルト材４６ｆが被清掃面上にグリップすると共に、被清掃面へ傷を付けない構成となる。
【００２８】
尚、車輪部４６ｄに用いる材料は、車輪部４６ｄが被清掃面上にグリップすればよく、フェルト材４６ｆのみに限らず、二重成形等にて軟質材で構成してもよい。
また、車輪部４６ｄの最大外径（フェルト材４６ｆや軟質材を含む）の大きさは、回転ブラシ６０の最大外径（ブラシ６０ｃを含む）の大きさと同じ程度に構成すると良い。
【００２９】
次に、塵埃除去具４６の爪部４６ｂの数は、後述する回転ブラシ６０のらせん状の溝６０ｂの数と同数であり、本実施の形態においては、リング部４６ａに等間隔となるように４つの爪部４６ｂが形成されている。
また、爪部４６ｂは、先端４６ｃが窄んだ形状に構成され、リング部４６ａの周方向に対して、略直角方向を向いている。
そして、リング部４６ａが塵埃除去具取付け部４４に取り付けられた状態において、爪部４６ｂが立設する方向は、先端４６ｃが駆動部装着開口４０ｂの方向を向く。
【００３０】
次に、塵埃除去具取付け部４４は、下ケース４１の半円筒状の壁面に形成された凹部４１ｂと、下ケースカバー４８の半円筒状の壁面に形成された凹部４８ｂが向かい合って配置されることにより構成される。
つまり、塵埃除去具取付け部４４は、下ケース４１と下ケースカバー４８が向かい合うことで形成される円筒状の内壁面に、円筒外方に凹むリング状の凹部である。
【００３１】
この様に凹形状に形成された塵埃除去部取り付け部４４の内方に、この塵埃除去具４６のリング部４６ａに形成された凸部４６ｇが入り込んで係合することで、ケース４０に塵埃除去具４６が回転自在に取り付けられる（図９参照）。
尚、塵埃除去具４０の回転可能な方向は、回転ブラシの回転方向と一致している。また、リング部４６ａの開口と駆動側装着ガイド７３の係合部７３ａと駆動部装着開口４０ｂと回転ブラシ装着開口４０ｃは、略同一軸上に位置している。
【００３２】
次に、ケース４０の内部からの回転ブラシ６０の着脱について説明する。
（１）回転ブラシ６０の取り付け
まず、回転ブラシ６０は、凹部６０ｄが形成されている側の端から、回転ブラシ装着開口４０ｃに挿入される。
この時、塵埃除去具４６のリング部４６ａのリング開口４６ｅに、回転ブラシ６０が挿入されると共に、回転ブラシ６０の複数の溝６０ｂに、リング部４６ａの爪部４６ｂがそれぞれ嵌り込んだ状態（爪部４６ｂが溝部６０ｂにガイドされた状態）となる。つまり、溝６０ｂに爪部４６ｂが嵌り込んだ状態で、塵埃除去具４６を回転ブラシ６０が貫いている（図５参照）。
尚、回転ブラシ６０が、リング部４６ａ内に挿入されるとき、ブラシ６０ｃはリング部４６ａの内を折り曲がりながら通過し、駆動側装着ガイド７３方向に進む。
【００３３】
そして、回転ブラシ６０が駆動側装着ガイド７３に向けて、更に挿入されると、爪部４６ｂは回転ブラシに６０に接しながら、らせん状に形成された溝部６０ｂに倣って、回転ブラシ６０の挿入動作に逆らわず、塵埃除去具４６は、塵埃除去具取付け部４４の内部で回転する。
尚、爪部４６ｂは、駆動部装着開口４０ｂが位置する方向（ケース４０の内方）に先端を向けて形成されているので、回転ブラシ６０を回転ブラシ収納室４０ａに装着する際に、大きな抵抗とならない。
【００３４】
次に、回転ブラシ６０が、駆動部７０の駆動側装着ガイド７３の位置まで挿入されることで、凹部６０ｄに駆動側装着ガイド７３に形成された係合部７３ａが嵌り込む。このとき、係合部７３ａは、凹部６０ｄの内部に形成された溝６０ｊに軸方向から入り込み、溝６０ｊにおいて、駆動側装着ガイド７３の回転駆動方向に保持されることで、駆動側装着ガイド７３の凹部６０ｄにおける空回りを防止する。
また、係合部７３ａが溝６０ｊに軸方向から入り込む際に、係合部７３ａを円弧形状に構成することで、溝６０ｊを形成する壁面に対して引っかかりにくく、効率よく装着することができる。
【００３５】
そして、凹部６０ｄに駆動側装着ガイド７３が嵌り込んだ状態において、固定つまみ６
０ｈに形成された固定側装着ガイド６０ｉを、回転ブラシ装着開口４０ｃに形成された凹
形状の切り欠き部分から挿入し、固定側装着ガイド６０ｉを回転させることで、装着ガイ
ド６０ｉが回転ブラシ装着開口４０ｃに固定されて抜けなくなり、ケース４０からの回転
ブラシ６０の脱落を防止される。
これで回転ブラシ６０は、回転ブラシ収納室４０ａに正しく取り付けられる。
【００３６】
尚、回転ブラシ６０が、回転ブラシ収納室４０ａに取り付けられた状態において、塵埃除去具４６は回転ブラシ６０の外周面と対向した位置で、爪部４６ｂが回転ブラシの溝部６０ｂに倣った状態で保持され、回転ブラシと共に回転する。
この様に、爪部４６ｂが溝部６０ｂに倣った状態で保持されれば、回転ブラシ６０を床面吸込具から抜くとき（外すとき）に、あらためて爪部４６ｂと溝部６０ｂの位置を合わせる必要がない。
以上、回転ブラシ６０は、回転ブラシ装着開口４０ｃ、塵埃除去具４６のリング開口４６ｅを貫いて、駆動部装着開口４０ｂに望む駆動側装着ガイド７３に嵌り込む。
【００３７】
（２）回転ブラシ６０のケース４０からの取外しについて
まず、固定側装着ガイド６０ｉを回転させ、回転ブラシ装着開口４０ｃの凹形状の切り欠きと位置を合わせ、回転ブラシ装着開口４０ｃと固定側装着ガイド６０ｉの固定を解除し、固定側装着ガイド６０ｉを回転ブラシ６０の長手方向に引き抜くことで、回転ブラシ装着開口４０ｃから回転ブラシ６０をケース４０から引き抜くことができる。
回転ブラシ６０がケース４０から引き抜かれ始めると、爪部４６ｂがらせん状に形成された溝部６０ｂに倣って、回転ブラシ６０の引き抜き動作に逆らわず、塵埃除去具取付け部４４の内部で回転する。
【００３８】
この時、爪部４６ｂが溝部６０ｂに倣うことにより、回転ブラシ６０の外周に絡みつく髪の毛や糸くずのような塵埃を、爪部４６ｂが軸やブラシから剥ぎ取る。
そして、回転ブラシ６０の外周から剥ぎ取られ、回転ブラシ６０に纏わり付いている塵埃は、回転ブラシ６０が塵埃除去具４６のリング部４６ａと爪部４６ｂを通過するときに、回転ブラシ６０から分離・除去される。
【００３９】
尚、塵埃除去具取付け部４４はケース４０の内部において、回転ブラシ装着開口４０ｃに近い側に位置しているので、回転ブラシ６０をケース４０から取外す際、回転ブラシ６０が塵埃除去具４６のリング開口４６ｅを通ることとなる。
従って、回転ブラシ６０から効率よく塵埃を除去することができる。
【００４０】
以上のように、塵埃除去具４６に車輪部４６ｄを設けることで、回転ブラシに付着した塵埃を容易に除去可能にすると共に、回転ブラシの回転と同時に塵埃除去具に設けた車輪部が回転し床面を掻く力が増加するので、床面吸込具の操作力が軽くなり、使用者の清掃負荷を軽減させることが可能となる。
特に、車輪部４６ｄを塵埃除去具４６と一体に形成したので、塵埃除去具４６と車輪部４６ｄを別々にケース４０に設ける必要がない。つまり、部品点数の低減、製造時の組み立て工数の低減を図れる。
【００４１】
また、車輪部４６ｄは塵埃除去具４６と一体であるので、ケース４０に取付けた際に、取付けスペースを最小に構成することができる。これにより、吸込口や回転ブラシのスペースを広くすることができ、集塵能力を高めることができる。
更に、駆動側装着ガイド７３にも車輪部７３ｂを設けることで、ケース４０の左右それぞれの端側で、均等となるように被清掃面に対して各車輪が駆動力を伝えるので、床面吸込具Ｓを安定して被清掃面上を動かすことができる。
【００４２】
更に、車輪部４６ｄは、回転ブラシ６０の回転と共に回転するので、別途車輪部４６ｄを回転駆動する駆動源を必要としない。
更に、車輪部４６ｄの最外部をフェルト材で構成することで、被清掃面上を車輪部４６ｄが走行する際に、車輪部４６ｄの滑り止めや被清掃面へ傷を付けない構成することができる。
【００４３】
更に、車輪部４６ｄの最外部を、二重成形を用いて軟質部材で構成することで、被清掃面上を車輪部４６ｄが走行する際に、車輪部４６ｄと被清掃面のグリップ力向上や被清掃面へ傷を付けない構成することができると共に、車輪部４６ｄの成形を容易に行うことができる。
更に、車輪部の外径を、回転ブラシ６０の最大外径（ブラシ６０ｃを含む）と同じ程度の大きさに構成することにより、被清掃面に床面吸込具を置いたときに、ブラシ６０ｃを大きく変形させないで使用できるので、床面吸込具を動かす時の操作感を軽くすることができる。
【符号の説明】
【００４４】
Ｃ  電気掃除機
１０  本体、２０  ホース、２１  把持部、２１ａ  手元操作部、３０  延長管
Ｓ  床面吸込具、４０  ケース、４０ａ  回転ブラシ収納室、
４０ｄ  接続部取り付け口、４１  下ケース、４１ａ  吸込口、４２  上ケース、
４３  上カバー、４５  集塵風路、４６  塵埃除去具、４８  下ケースカバー
５０  接続部、６０  回転ブラシ、６０ｇ  軸、６０ａ  本体軸、
６０ｂ  らせん状の溝、６０ｃ  ブラシ、６０ｈ  固定つまみ、
６０ｉ  固定側装着ガイド、７０  モーター部（駆動部）、７３  駆動側装着ガイド
【図１】
0005696611.tif 000002
【図２】
0005696611.tif 000003
【図３】
0005696611.tif 000004
【図４】
0005696611.tif 000005
【図５】
0005696611.tif 000006
【図６】
0005696611.tif 000007
【図７】
0005696611.tif 000008
【図８】
0005696611.tif 000009
【図９】
0005696611.tif 000010
【図１０】
0005696611.tif 000011
【図１１】
0005696611.tif 000012